(57)【要約】【課題】壁、天井、床に何ら工事を行うことなく、且つ、複数の抽斗や観音扉の個々に設けるのではなく一括して、揺れによる飛出しを防止できる飛出し防止具の提供。【解決手段】抽斗14や観音開き等を有するたんす12の上部および下部に固定可能のフック９と、一端側にフック９に引っ掛ける引っ掛け具３を有し、他端側に嵌合ロック型バックル16の一方が取り付けられ、途中に長さ調節具２を有する第１の帯状紐１と、一端側にフック９に引っ掛ける引っ掛け具３を有し、他端側に前記嵌合ロック型バックルの他方が取り付けられた第２の帯状紐８とからなり、たんす12の上部および下部に固定取り付けされたフック９に引っ掛け具３を引っ掛けた第１の帯状紐１と、第２の帯状紐８の嵌合ロック型バックル16の一方と他方を嵌合させる。【選択図】図２
2007185347.tif 000002
【特許請求の範囲】
【請求項１】
下記の各手段からなることを特徴とする抽斗飛出し防止具。
（イ）途中に長さ調節具が通され、該長さ調節具より片側が長さ調節具の方へ折り返されて片側端部が長さ調節具に固着された片側折り返し帯状紐のいずれか一端に引っ掛け具が取り付けられ、他端に嵌合ロック型バックルの一方が取り付けられた第１の帯状紐
（ロ）一端に引っ掛け具が取り付けられ、他端に前記嵌合ロック型バックルの他方が取り付けられた第２の帯状紐
（ハ）抽斗が収納される箱体の上部及び下部に固定取り付けされ、前記引っ掛け具を引っ掛けることのできる２個以上のフック
【請求項２】
下記の各手段からなることを特徴とする抽斗飛出し防止具。
（イ）途中に長さ調節具が通され、該長さ調節具より片側が長さ調節具の方へ折り返されて片側端部が長さ調節具に固着された片側折り返し帯状紐のいずれか一端に引っ掛け具が取り付けられ、他端に嵌合ロック型バックルの一方が取り付けられた第１の帯状紐
（ロ）一端に前記嵌合ロック型バックルの他方が取り付けられた第２の帯状紐
（ハ）抽斗が収納される箱体の下に２枚以上重ねて敷かれ、その間に前記第２の帯状紐の他端を挟んで固定する耐震マット
【請求項３】
下記の各手段からなることを特徴とする抽斗飛出し防止具。
（イ）一端に引っ掛け具が取り付けられ、他端に嵌合ロック型バックルの一方が取り付けられた第１の帯状紐
（ロ）途中に長さ調節具が通され、該長さ調節具より片側が折り返されて片側端部が長さ調節具に固着された帯状紐の折り返し側に前記嵌合ロック型バックルの他方が移動可能に取り付けられた第２の帯状紐
（ハ）抽斗が収納される箱体の下に２枚以上重ねて敷かれ、その間に前記第２の帯状紐の他端を挟んで固定する耐震マット
【請求項４】
引っ掛け具の形状が三角形であることを特徴とする請求項１〜３のいずれか１項に記載の抽斗飛出し防止具。
【請求項５】
引っ掛け具の形状が半円形であることを特徴とする請求項１〜３のいずれか１項に記載の抽斗飛出し防止具。
【請求項６】
引っ掛け具の、フックに引っ掛ける先端部分が突出湾曲していることを特徴とする請求項４又は５に記載の抽斗飛出し防止具。
【発明の詳細な説明】
【技術分野】
【０００１】
本発明は、例えばたんすのような上下に多数の抽斗を収納した箱体から、地震の揺れによって抽斗が飛出さないようにする飛出し防止具の技術分野に属する。
【背景技術】
【０００２】
このような技術分野における第１の従来例としては、たんすの各抽斗の取っ手の位置に逆さＬ字状の溝を有する第１台座を固定し、抽斗と抽斗の間の棧の第１台座に対応する位置に同形同寸法の溝を有する第２台座を固定し、別に、裏面に第１台座の溝に嵌合し溝方向には移動可能で且つ抜けない第１突起と、第２台座の溝に嵌合する同様の第２突起を有し、表面にはたんすの取っ手が取り付けられた第３台座を第１台座の上にスライド可能に被せるようにして突起を溝に嵌め込み、第１突起が第１台座の逆さＬ字状溝の下端にあるときは、第２突起は第２台座の溝から外れていて抽斗の出し入れは自由であるが、取っ手を持って第３台座を上方へスライドさせると第２突起が第２台座の溝に滑り込み、上まで行きついたところで右方へスライドすると第２突起は安定して溝に嵌合している状態となり、取っ手を引っ張っても抽斗は出て来なくなるので、地震でたんすが揺れても抽斗は飛出さないというものである。
このような台座を抽斗毎に設けている。
【０００３】
観音開き（観音扉）の場合には、一方の側の扉に第１台座を固定し、他方の側に第２台座を設け、第３台座を第１台座に被せるという構造となる（例えば、特許文献１参照）。
【０００４】
第２の従来例としては、壁際に置いたたんすの両サイド位置の壁に壁面用金具を固定取り付けして、この壁面用金具に面ファスナーの端部の引っ掛け金具を引っ掛けて、左右両側からの面ファスナーの端部係着面を観音開き或いは抽斗の前で係着するということを各抽斗毎或いは観音開き毎に行って、地震があった場合、たんすの転倒を防止するとともに観音扉が開いて収納物が飛出したり、抽斗が飛出すのを防止している（例えば、特許文献２参照）。
【特許文献１】実用新案登録第３１１４００６号公報（[０００７]、図１〜図４）
【特許文献２】特開２００５−１１１０６２号公報（図１、図９、図１０、図１１）
【発明の開示】
【発明が解決しようとする課題】
【０００５】
しかしながら、上記従来技術においては、以下に述べるような問題がある。
まず、第１の従来例では、たんす等の各抽斗や各観音扉毎に第１台座ないし第３台座を設けなければならず、従って部品数も多くなり、またその取り付け手数も多くかかるという問題がある。
【０００６】
第２の従来例でも、やはり、各抽斗毎、各観音扉毎に飛出し防止手段を設けるものであり、そのうえファスナーの一端をたんす等を置いた背面の壁に設けた壁面用金具に掛けるというものであり、そのため壁に壁面用金具を取り付けなければならないという問題がある。
【０００７】
本発明が解決しようとする課題は、上記のような従来技術の問題点に鑑みて、壁、天井、床等には何らの工事を施すことなく且つ、複数の抽斗の各々に設けるのではなく一括して飛出しを防止できる飛出し防止具を提供することにある。
【課題を解決するための手段】
【０００８】
本発明は上記の課題を解決するために、次のような各構成を有する。
本発明の第１の構成は、下記の各手段からなることを特徴とする抽斗飛出し防止具である。
（イ）途中に長さ調節具が通され、該長さ調節具より片側が長さ調節具の方へ折り返されて片側端部が長さ調節具に固着された片側折り返し帯状紐のいずれか一端に引っ掛け具が取り付けられ、他端に嵌合ロック型バックルの一方が取り付けられた第１の帯状紐
（ロ）一端に引っ掛け具が取り付けられ、他端に前記嵌合ロック型バックルの他方が取り付けられた第２の帯状紐
（ハ）抽斗が収納される箱体の上部及び下部に固定取り付けされ、前記引っ掛け具を引っ掛けることのできる２個以上のフック
【０００９】
本発明の第２の構成は、下記の各手段からなることを特徴とする抽斗飛出し防止具である。
（イ）途中に長さ調節具が通され、該長さ調節具より片側が長さ調節具の方へ折り返されて片側端部が長さ調節具に固着された片側折り返し帯状紐のいずれか一端に引っ掛け具が取り付けられ、他端に嵌合ロック型バックルの一方が取り付けられた第１の帯状紐
（ロ）一端に前記嵌合ロック型バックルの他方が取り付けられた第２の帯状紐
（ハ）抽斗が収納される箱体の下に２枚以上重ねて敷かれ、その間に前記第２の帯状紐の他端を挟んで固定する耐震マット
【００１０】
本発明の第３の構成は、下記の各手段からなることを特徴とする抽斗飛出し防止具である。
（イ）一端に引っ掛け具が取り付けられ、他端に嵌合ロック型バックルの一方が取り付けられた第１の帯状紐
（ロ）途中に長さ調節具が通され、該長さ調節具より片側が折り返されて片側端部が長さ調節具に固着された帯状紐の折り返し側に前記嵌合ロック型バックルの他方が移動可能に取り付けられた第２の帯状紐
（ハ）抽斗が収納される箱体の下に２枚以上重ねて敷かれ、その間に前記第２の帯状紐の他端を挟んで固定する耐震マット
【００１１】
本発明の第４の構成は、前記第１ないし第３の構成のいずれかの構成において、引っ掛け具の形状が三角形であることを特徴とする抽斗飛出し防止具である。
【００１２】
本発明の第５の構成は、前記第１の構成ないし第３の構成のいずれかの構成において、引っ掛け具の形状が半円形であることを特徴とする抽斗飛出し防止具である。
【００１３】
本発明の第６の構成は、前記第４の構成又は第５の構成において、引っ掛け金具の、フックに引っ掛ける先端部分が突出湾曲していることを特徴とする抽斗飛出し防止具である。
【発明の効果】
【００１４】
本発明の第１の構成における効果は以下の通りである。
たんす等の箱体の上部および下部に、引っ掛け具を引っ掛けることのできるフックを固定し、第１の帯状紐の引っ掛け具を上部（又は下部）のフックに引っ掛け、第２の帯状紐の引っ掛け具を下部（又は上部）のフックに引っ掛け、第１の帯状紐の長さ調節具により、第１の帯状紐の嵌合ロック型バックルと第２の帯状紐の嵌合ロック型バックルを箱体の前面で嵌合させたときに両帯状紐が張るように調節して、嵌合させることにより抽斗が飛出ることを防止できるので、地震によっては箱体が揺動しても抽斗が飛出すのを防止でき、この防止効果は１組の第１，第２の帯状紐に掛かる限り、複数の抽斗に対し、飛出し防止効果を有するので、従来のように抽斗毎に飛出し防止具を設ける必要がないという利点がある。
またフックは、箱体自身に設けるので、壁面金具等を設ける必要もないという利点がある。
【００１５】
第２の構成における効果は、第２の帯状紐の他端に引っ掛け具が付いておらず、箱体の下に敷かれた耐震マットの間に挟んで固定することができるので、箱体の下部にフックを取り付けるスペースがない場合にも第１の構成と同様の効果を得ることができるという利点がある。
【００１６】
第３の構成は、長さ調節具が、第２の構成では第１の帯状紐に設けられているのに対し、第２の帯状紐に設けられている場合であり、効果は第２の構成と同様である。
【００１７】
第４の構成では、引っ掛け具が三角形になっていることにより、フックに引っ掛けたときの引っ掛り点が角部となり安定するという利点がある。
【００１８】
第５の構成では、引っ掛け具が半円弧形をしているのでやはり、フックに引っ掛けたときの引っ掛り点が円弧の最先端となり安定するという利点がある。
【００１９】
第６の構成では、第４又は第５の構成における三角形又は半円形の引っ掛け具の先端部分に突き出た湾曲部を設けているので、フックに引っ掛けた際の引っ掛り位置が更に安定するという利点がある。
【発明を実施するための最良の形態】
【００２０】
最良の実施形態としては、フックは箱体への固定を確実ならしめるためねじ止め型のものが望ましい。
また、バックルのロック解除操作はロックされた状態で前面又は側面からワンタッチで行えるものがよい。
引っ掛け具は先端引っ掛け部分が突き出た湾曲形になっているのがよい。
帯状紐は引っ張り伸びの少ないものが望ましい。
【実施例】
【００２１】
以下、本発明の抽斗飛出し防止具の実施例を図面を参照して説明する。
図１は、本発明の抽斗飛出し防止具の実施例の構成を示す図である。
（ａ）は、第１の帯状紐の平面図、（ｂ）は（ａ）の側面図、（ｃ）は第２の帯状紐の平面図、（ｄ）はフックの側面図、（ｅ）はフックの平面図である。
【００２２】
（ａ）の第１の帯状紐１は、帯４の途中に長さ調節具２が通されておりその片側（図では上方側）は引っ掛け具３を通って折り返し、その端部は長さ調節具２の中ブリッジ１１を通して折り返し固着されている。
長さ調節具２の他方側（図では下側）の帯４の先端には嵌合ロック型バックル１６の一方である凸バックル５が取り付けられている。
【００２３】
（ｃ）の第２の帯状紐８は、帯７の一方端（図では上端）に嵌合ロック型バックル１６の他方である凹バックル６が取り付けられており、他端には引っ掛け具３が取り付けられている。
嵌合ロック型バックル１６は凸バックル５を凹バックル６へ嵌合するだけで結合がロックされ、ワンタッチ操作でロックが解除され、容易に外れる一般的なものである。
【００２４】
（ｄ）,（ｅ）のフックは、たんす等の箱体の天板および下部前面にねじ穴１０でねじ止め固定され、第１の帯状紐１および第２の帯状紐８の各引っ掛け具３が引っ掛けられるようになっている。
【００２５】
図２は、図１の抽斗飛出し防止具を２組並べてたんす１２に装着した場合の斜視図である。
天板１３上の２箇所と下部前面１５の２箇所に対応するようにフック９をねじ止め固定し、天板側のフック９にはそれぞれ第１の帯状紐１の引っ掛け具３を引っ掛け、下部前面のフック９には、第２の帯状紐８の引っ掛け具３を引っ掛け、それぞれ凸バックル５と凹バックル６を嵌合させる。上側の引っ掛け具３から下側の引っ掛け具３までの長さは、たんす１２の高さおよびフック９の取り付け位置に応じて、長さ調節具２によって調節する。フック９への引っ掛け具３への引っ掛け、長さ調節具２の調節および嵌合ロック型バックル１６の嵌合操作の順序は特に定まってはいない。
また、図２においては、抽斗飛出し防止具が２組用いられている場合を示しているが、抽斗内の収納物の重量等に応じて、１組であってもよいし、３組以上用いる場合があってもよい。
【００２６】
以上のように、本発明の抽斗飛出し防止具は、上下に数段並んでいる抽斗に対し、上下方向に帯状紐を掛けるので、１組の飛出し防止具で複数段の抽斗の飛出しの防止ができるという利点がある。
また、観音開き（観音扉）がある場合にも、帯が観音開きの合わせ目を通るようにすることにより、抽斗ともども揺動による飛出し及び開きを防止することができる。
観音開きが、一方（例えば右側）の扉が開かない限り他方（例えば左側）の扉が開かないようになっている場合には、帯が一方の扉に掛かるようにして置くだけで開くのを防止できる。
【００２７】
こうして、抽斗や観音開きに常時、帯が掛かっていることにより、不意の地震によりたんす等が揺動しても抽斗が飛出したり、観音扉が開いたりすることはない。
他方、抽斗や観音扉を開けたいときには、嵌合ロック型バックルのロックを解除して、帯をよけて開けることができる。
【００２８】
図３は、引っ掛け具３の他の形状例である。
図２では、引っ掛け具３は三角形のものが示されているが、これに限られるものではなく、図３の（ａ）のように半円形のものであってもよいし、（ｂ）,（ｃ）のように三角形或いは半円形の先端部分に突出湾曲部を設けることによりフック９に引っ掛ける際の引っ掛け安定性がよくなる。
しかし、本発明の第１の構成および第２の構成においては引っ掛け具の形状を特に限定するものではない。
【００２９】
図４は、たんすの下部前面１５の縦方向寸法が狭くてフックが固定できない場合の、第２の帯状紐の下端の固定構造を示す図である。
たんす１２の下に耐震マット１８を２枚重ねて敷き、２枚の耐震マット１８の間に第２の帯状紐８の下端部分を挟んでたんすの自重で固定するという構造である。
耐震マットの大きさ、形状、枚数等は図４で示されたものに限定されるものではなく、要は第２の帯状紐の下端部が抽斗の飛出しを防止できるようにしっかりと固定されさえすればよい。
【図面の簡単な説明】
【００３０】
【図１】本発明の抽斗飛出し防止具の実施例の構成を示す図である。
【図２】図１の抽斗飛出し防止具を２組並べてたんすに装着した場合の斜視図である。
【図３】本発明の抽斗飛出し防止具に用いる引っ掛け具の形状例を示す図である。
【図４】たんすの下部前面にフックが固定できない場合の、第２の帯状紐の下端を固定する構造を示す図である。
【符号の説明】
【００３１】
１  第１の帯状紐
２  長さ調節具
３  引っ掛け具
４  帯
５  凸バックル
６  凹バックル
７  帯
８  第２の帯状紐
９  フック
１０  ねじ穴
１１  中ブリッジ
１２  たんす
１３  天板
１４  抽斗
１５  下部前面
１６  嵌合ロック型バックル
１７  たんす載置面
１８  耐震マット
【図１】
2007185347.tif 000003
【図２】
2007185347.tif 000004
【図３】
2007185347.tif 000005
【図４】
2007185347.tif 000006